(57)【要約】【課題】  可搬装置の位置情報に基づいて盗難を判定すること。【解決手段】  電源投入時、親機ＧＰＳ通信部１２で自機の位置情報をＧＰＳ衛星３より受信し、子機２の位置情報を問い合わせ、それぞれの位置情報を比較し、あらかじめ設定したしきい値を超えた差分がある場合に盗難と判断し、システムの起動を中止する。【選択図】  図１
2007102572.tif 000002
【特許請求の範囲】
【請求項１】
電源投入時、ＧＰＳ通信手段で自機の位置情報をＧＰＳ衛星より受信して格納する位置記憶部と、
前記移動体通信端末の位置情報を前記移動体通信端末に問い合わせる対移動体通信端末通信手段と、
前記位置記憶部に格納されている位置情報と、前記移動体通信端末から受信した前記移動体通信端末の位置情報とを比較し、あらかじめ設定したしきい値を超えた差分がある場合に盗難と判断し、システムの起動を中止するシステム起動手段とを備えることを特徴とする可搬装置。
【請求項２】
可搬装置に、位置記憶部に格納されている、電源投入時、ＧＰＳ通信手段でＧＰＳ衛星より受信した自機の位置情報と、移動体通信端末の位置情報とを比較し、あらかじめ設定したしきい値を超えた差分がある場合に盗難と判断し、システムの起動を中止させるべく、
前記可搬装置からの問い合わせに対し、ＧＰＳ衛星から得た自機の位置情報を前記可搬装置に送信することを特徴とする移動体通信端末。
【請求項３】
受信した前記可搬装置の位置情報を地図情報とともに表示する表示手段を備えることを特徴とする請求項２記載の移動体通信端末。
【請求項４】
ＧＰＳ機能を備える移動体通信端末と、ＧＰＳ機能を備える可搬装置とを含む盗難防止システムであって、
前記可搬装置は、電源投入時、ＧＰＳ通信手段で自機の位置情報をＧＰＳ衛星より受信して格納する位置記憶部と、
前記移動体通信端末の位置情報を前記移動体通信端末に問い合わせる対移動体通信端末通信手段と、
前記位置記憶部に格納されている位置情報と、前記移動体通信端末の位置情報とを比較し、あらかじめ設定したしきい値を超えた差分がある場合に盗難と判断し、システムの起動を中止するシステム起動手段とを備え、
前記移動体通信端末は上記問い合わせに対し、ＧＰＳ衛星から得た自機の位置情報を前記可搬装置に送信することを特徴とする盗難防止システム。
【請求項５】
前記移動体通信端末は、受信した前記可搬装置の位置情報を地図情報とともに表示する表示手段を備えることを特徴とする請求項４記載の盗難防止システム。
【請求項６】
ＧＰＳ機能を備える移動体通信端末と、ＧＰＳ機能を備える可搬装置とを利用した盗難防止方法であって、
前記可搬装置が、電源投入時、ＧＰＳ通信手段で自機の位置情報をＧＰＳ衛星より受信して位置記憶部に格納するステップと、
対移動体通信端末通信手段で前記移動体通信端末の位置情報を前記移動体通信端末に問い合わせるステップとを有し、
前記移動体通信端末が、上記問い合わせに対し、ＧＰＳ衛星から得た自機の位置情報を前記可搬装置に送信するステップを有し、
前記可搬装置が、前記位置記憶部に格納されている位置情報と、前記移動体通信端末の位置情報とを比較するステップと、
あらかじめ設定したしきい値を超えた差分がある場合に盗難と判断し、システム起動手段でシステムの起動を中止するステップとをさらに有することを特徴とする盗難防止方法。
【請求項７】
前記移動体通信端末が、表示手段で受信した前記可搬装置の位置情報を地図情報とともに表示するステップをさらに有することを特徴とする請求項６記載の盗難防止方法。
【請求項８】
コンピュータに、
電源投入時、ＧＰＳ通信手段で自機の位置情報をＧＰＳ衛星より受信して位置記憶部に格納する機能と、
前記移動体通信端末の位置情報を前記移動体通信端末に問い合わせる機能と、
前記位置記憶部に格納されている位置情報と、前記移動体通信端末から受信した前記移動体通信端末の位置情報とを比較し、あらかじめ設定したしきい値を超えた差分がある場合に盗難と判断し、システムの起動を中止する機能とを実現させることを特徴とするプログラム。
【発明の詳細な説明】
【技術分野】
【０００１】
本発明は、可搬装置と所有者が携帯する移動体通信端末のＧＰＳ情報を比較することにより、可搬装置の盗難を判断する技術に関する。
【背景技術】
【０００２】
盗難防止システムはＧＰＳ衛星から装置の位置情報の移動事象を検知し、システム起動を中止することにより、内部情報の漏洩を防止するために用いられている。
【０００３】
従来の盗難防止システムの一例が、例えば、特許文献１に記載されている。この盗難防止システムは、装置の位置情報を取得する位置取得部と、該位置取得部による装置の位置の状態変化を監視する部と、位置変化を検出したとき、システムへ供給する電源の一部または全部を遮断する部を有し、装置内にあらかじめ記録している固定の設置位置情報と、現在の位置情報を比較して盗難を判断するシステムである。
【特許文献１】特開２００１−２９０５５３号公報
【発明の開示】
【発明が解決しようとする課題】
【０００４】
しかしながら、上述した従来例においては次のような問題点があった。
【０００５】
装置自体が移動しないデスクトップ型ＰＣには適用可能であるが、装置自体が移動することを前提とするノート型ＰＣやモバイル型ＰＣのような可搬ＰＣなどには適用できない。その理由は、装置内にあらかじめＰＣの設置位置を固定の位置情報としてＧＰＳから取得・登録しておき、特定のタイミングでＧＰＳ衛星などから取得した現在の位置情報を比較して盗難を判断するためである。
【０００６】
本発明は、以上説明した事情に鑑みてなされたものであり、その目的は、可搬装置の位置情報に基づいて盗難を判定することにある。
【課題を解決するための手段】
【０００７】
上記課題を解決するために、本発明は、電源投入時、ＧＰＳ通信手段で自機の位置情報をＧＰＳ衛星より受信して格納する位置記憶部と、
前記移動体通信端末の位置情報を前記移動体通信端末に問い合わせる対移動体通信端末通信手段と、
前記位置記憶部に格納されている位置情報と、前記移動体通信端末から受信した前記移動体通信端末の位置情報とを比較し、あらかじめ設定したしきい値を超えた差分がある場合に盗難と判断し、システムの起動を中止するシステム起動手段とを備える可搬装置を提供する。
【０００８】
また、本発明は、可搬装置に、位置記憶部に格納されている、電源投入時、ＧＰＳ通信手段でＧＰＳ衛星より受信した自機の位置情報と、移動体通信端末の位置情報とを比較し、あらかじめ設定したしきい値を超えた差分がある場合に盗難と判断し、システムの起動を中止させるべく、
前記可搬装置からの問い合わせに対し、ＧＰＳ衛星から得た自機の位置情報を前記可搬装置に送信する移動体通信端末を提供する。
【０００９】
また、本発明は、ＧＰＳ機能を備える移動体通信端末と、ＧＰＳ機能を備える可搬装置とを含む盗難防止システムであって、
前記可搬装置は、電源投入時、ＧＰＳ通信手段で自機の位置情報をＧＰＳ衛星より受信して格納する位置記憶部と、
前記移動体通信端末の位置情報を前記移動体通信端末に問い合わせる対移動体通信端末通信手段と、
前記位置記憶部に格納されている位置情報と、前記移動体通信端末の位置情報とを比較し、あらかじめ設定したしきい値を超えた差分がある場合に盗難と判断し、システムの起動を中止するシステム起動手段とを備え、
前記移動体通信端末は上記問い合わせに対し、ＧＰＳ衛星から得た自機の位置情報を前記可搬装置に送信する盗難防止システムを提供する。
【００１０】
また、本発明は、ＧＰＳ機能を備える移動体通信端末と、ＧＰＳ機能を備える可搬装置とを利用した盗難防止方法であって、
前記可搬装置が、電源投入時、ＧＰＳ通信手段で自機の位置情報をＧＰＳ衛星より受信して位置記憶部に格納するステップと、
対移動体通信端末通信手段で前記移動体通信端末の位置情報を前記移動体通信端末に問い合わせるステップとを有し、
前記移動体通信端末が、上記問い合わせに対し、ＧＰＳ衛星から得た自機の位置情報を前記可搬装置に送信するステップを有し、
前記可搬装置が、前記位置記憶部に格納されている位置情報と、前記移動体通信端末の位置情報とを比較するステップと、
あらかじめ設定したしきい値を超えた差分がある場合に盗難と判断し、システム起動手段でシステムの起動を中止するステップとをさらに有する盗難防止方法を提供する。
【００１１】
また、本発明は、コンピュータに、
電源投入時、ＧＰＳ通信手段で自機の位置情報をＧＰＳ衛星より受信して位置記憶部に格納する機能と、
前記移動体通信端末の位置情報を前記移動体通信端末に問い合わせる機能と、
前記位置記憶部に格納されている位置情報と、前記移動体通信端末から受信した前記移動体通信端末の位置情報とを比較し、あらかじめ設定したしきい値を超えた差分がある場合に盗難と判断し、システムの起動を中止する機能とを実現させるプログラムを提供する。
【発明の効果】
【００１２】
本発明によれば、可搬装置の位置情報に基づいて盗難を判定することができる。
【発明を実施するための最良の形態】
【００１３】
以下、本発明の第１の実施の形態について図面を参照して詳細に説明する。図１を参照すると、本実施の形態における盗難防止システムは、可搬ＰＣ１と、所有者が常に携帯する子機２と、それぞれが自らの位置情報を得るためのＧＰＳ衛星３とから構成されている。
【００１４】
可搬ＰＣ１は、システム起動部１１と、親機ＧＰＳ通信部１２と、可搬ＰＣ位置記憶部１３と、対子機通信部１４と、所有者位置記憶部１５と、しきい値記憶部１６とを備えている。
【００１５】
システム起動部１１は、親機ＧＰＳ通信部１２により記録された可搬ＰＣ位置記憶部１３と、対子機通信部１４により記録された所有者位置記憶部１５とを比較し、その差分があらかじめしきい値記憶部１６に設定された値を超えた場合にシステム起動を中止し、超えない場合に、システム起動を続行する機能を有している。
【００１６】
親機ＧＰＳ通信部１２は、システム起動部１１の指示により、ＧＰＳ衛星３から可搬ＰＣ１のシステム起動時点の位置情報を取得し、可搬ＰＣ位置記憶部１３に記録する機能を有している。
【００１７】
対子機通信部１４は、システム起動部１１の指示により、子機２側の対親機通信部２３より、子機１すなわち所有者のシステム起動時点の位置情報を取得し、所有者位置記憶部１５に記録する機能を有している。
【００１８】
子機２は、子機ＧＰＳ通信部２１と、所有者位置記憶部２２と、対親機通信部２３とを備えている。
【００１９】
子機ＧＰＳ通信部２１は、ＧＰＳ衛星３より位置情報を取得し、所有者位置記憶部２２に記録する機能を有している。
【００２０】
対親機通信部２３は、所有者位置記憶部２２を参照して、可搬ＰＣ１側の対子機通信部１４に、子機２すなわち所有者の位置情報を通知する機能を有している。また、対親機通信部２３は、可搬ＰＣ１側の対子機通信部１４の指示により、子機ＧＰＳ通信部２１に対し、子機２のシステム起動時点の位置情報取得を指示する機能を有している。
【００２１】
次に、図２を参照して本実施の形態における処理動作のフローについて詳細に説明する。ここで、可搬ＰＣ１の所有者は常に子機２を携帯するものとする。また、しきい値記憶部１６には、可搬ＰＣ１の設定によりあらかじめ一定の正数が格納されているものとする。
【００２２】
まず、可搬ＰＣ１に電源が投入されると、システム起動部１１が起動される（Ｓ２０１）。
【００２３】
システム起動部１１は、親機ＧＰＳ通信部１２に対し、可搬ＰＣ１の位置情報を問い合わせる（Ｓ２０２）。
【００２４】
親機ＧＰＳ通信部１２は、ＧＰＳ衛星３に対し、可搬ＰＣ１の位置情報（緯度および経度）を問い合わせ、その結果を可搬ＰＣ位置記憶部１３に記録し、その旨をシステム起動部１１に通知する（Ｓ２０３）。
【００２５】
次に、システム起動部１１は、対子機通信部１４に対し、子機２すなわち所有者の位置情報（緯度および経度）を問い合わせる（Ｓ２０４）。
【００２６】
対子機通信部１４は、子機２側の対親機通信部２３に対し、無線通信により子機２の位置情報を問い合わせる（Ｓ２０５）。
【００２７】
対親機通信部２３は、子機ＧＰＳ通信部２１に対し、子機２の位置情報を問い合わせる（Ｓ２０６）。
【００２８】
子機ＧＰＳ通信部２１は、ＧＰＳ衛星３に対し、子機２の位置情報（緯度および経度）を問い合わせ、その結果を所有者位置記憶部２２に記録し、その旨を対親機通信部２３に通知する（Ｓ２０７）。
【００２９】
対親機通信部２３は、無線通信により子機２の位置情報を可搬ＰＣ１側の対子機通信部１４に通知する（Ｓ２０８）。
【００３０】
対子機通信部１４は通知された子機２、すなわち所有者の位置情報を所有者位置記憶部１５に記録し、その旨をシステム起動部１１に通知する（Ｓ２０９）。
【００３１】
次に、システム起動部１１は、可搬ＰＣ位置記憶部１３に記録された位置情報と、所有者位置記憶部１５に記録された位置情報の差分を以下の計算式により求める（Ｓ２１０）。
Ｘ13＝可搬ＰＣ位置記憶部１３に記録された経度、Ｙ13＝可搬ＰＣ位置記憶部１３に記録された緯度、
Ｘ15＝所有者位置記憶部１５に記録された経度、Ｙ15＝所有者位置記憶部１５に記録された緯度として、
位置情報の差分＝（（Ｘ13−Ｘ15）2＋（Ｙ13−Ｙ15）2）1/2
【００３２】
次に、システム起動部１１は上記計算で求められた位置情報の差分と、しきい値記憶部１６に記録された数値とを比較する（Ｓ２１１）。
【００３３】
位置情報の差分＞しきい値記憶部１６の場合、システム起動部１１は盗難と判断し、システム起動を中止する（Ｓ２１２）。
【００３４】
位置情報の差分≦しきい値記憶部１６の場合、システム起動部１１は所有者による利用と判断し、システム起動を継続、完遂する（Ｓ２１３）。
【００３５】
上記の実施の形態によれば、可搬ＰＣが盗難にあった場合でも、可搬ＰＣに記録された情報が外部に漏洩することを防止することができる。その理由は、可搬ＰＣが盗難にあったと判断される場合に、システム起動自体が不可能となるためである。
【００３６】
また、可搬ＰＣと付属の子機２で、製品単体として盗難を防止できる。
【００３７】
また、可搬ＰＣの起動時に１回のみ子機２との通信を行うため、回線や各装置に対する負荷や通信回線料金が少なくてすむという効果が生じる。
【００３８】
次に、本発明の第２の実施の形態について図面を参照して詳細に説明する。
【００３９】
図３を参照すると、本実施の形態における盗難防止システムは、上記の図１に示された第１の実施の形態における子機２の構成に加え、可搬ＰＣ位置記憶部２４と可搬ＰＣ位置表示部２５を有する点で異なる。
【００４０】
可搬ＰＣ位置記憶部２４は、可搬ＰＣ１のシステム起動部１１が盗難と判断した際に、対子機通信部１４から対親機通信部２３に通知される可搬ＰＣの現在位置を記録する機能を有している。
【００４１】
可搬ＰＣ位置表示部２５は、この可搬ＰＣ位置記憶部２４に記録された位置情報を参照して、子機２の画面上に、盗難された可搬ＰＣ１の現在位置を表示する機能を有している。
【００４２】
次に、本実施の形態における処理動作のフローを詳細に説明する。
【００４３】
ここで、システム起動部１１が可搬ＰＣ１の現在位置を可搬ＰＣ位置記憶部１３に取得し、また子機２の現在位置を所有者位置記憶部１５に取得し、両者の差分をしきい値記憶部１６と比較して盗難かどうかを判断する動作は、上記の第１の実施の形態におけるフローと同一のため、重複する説明は省略する。
【００４４】
上記の第１の実施の形態では、盗難と判断した場合、可搬ＰＣ１のシステム起動を中止するのみにとどまるが、本実施の形態ではこのような場合、システム起動部１１が可搬ＰＣ１のシステム起動を中止するとともに、対子機通信部１４へ可搬ＰＣ１の位置情報を子機側に通知するように指示する。
【００４５】
すなわち、対子機通信部１４は、可搬ＰＣ位置記憶部１３を参照し、その位置情報を対親機通信部２３へ送信する。
【００４６】
対親機通信部２３は、受信した位置情報を可搬ＰＣ位置記憶部２４に記録し、可搬ＰＣ位置表示部２５に、盗難した可搬ＰＣ１の位置表示を指示する。
【００４７】
可搬ＰＣ位置表示部２５は、可搬ＰＣ位置記憶部２４を参照して、子機２の画面に表示された地図上に盗難した可搬ＰＣ１の位置を表示する。
【００４８】
本実施の形態によれば、可搬ＰＣ１が盗難にあった場合、システム起動を中止することにより可搬ＰＣ内に記録された情報が外部に漏洩することを防止できる効果に加え、盗難にあった可搬ＰＣ１の現在位置を子機２に表示された地図上で確認し、所在位置を追跡できるという新たな効果をもたらすことができる。
【００４９】
なお、上述する各実施の形態は、本発明の好適な実施の形態であり、本発明の要旨を逸脱しない範囲内において種々変更実施が可能である。例えば、上記の実施の形態における可搬ＰＣ１、子機２およびＧＰＳ衛星３の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００５０】
上述する各実施の形態は、可搬ＰＣ１、子機２およびＧＰＳ衛星３が別個に接続されているシステム構成について説明したが、各機能が１つのコンピュータシステムとして実現されている構成や機能毎に複数の装置などが追加された構成にも適用可能であることはもちろんである。
【図面の簡単な説明】
【００５１】
【図１】本発明の第１の実施形態における盗難防止システムの概略構成図である。
【図２】本発明の第１の実施形態における処理動作を示すフローチャートである。
【図３】本発明の第２の実施形態における盗難防止システムの概略構成図である。
【符号の説明】
【００５２】
１    可搬ＰＣ
２    子機
３    ＧＰＳ衛星
１１    システム起動部
１２    親機ＧＰＳ通信部
１３    可搬ＰＣ位置記憶部
１４    対子機通信部
１５    所有者位置記憶部
１６    しきい値記憶部
２１    子機ＧＰＳ通信部
２２    所有者位置記憶部
２３    対親機通信部
【図１】
2007102572.tif 000003
【図２】
2007102572.tif 000004
【図３】
2007102572.tif 000005